(57)【要約】【課題】注射絆や創傷用絆創膏等の絆創膏が貼着された剥離シートに手を触れずにケース内で巻き取ることができるため、使用後の剥離シートの後始末が簡単にでき作業性に優れ、また片手でも絆創膏の繰り出し作業を行うことができる使用性に優れた絆創膏供給具を提供することを目的とする。【解決手段】長尺の剥離シートの一面側に複数の絆創膏が貼着されたテープが巻回された絆創膏ロールが収納されるケースを備えた絆創膏供給具であって、絆創膏ロール３０が収納されるロール収納部１４と、ロール収納部１４と連通し絆創膏ロール３０からテープ３２がケース２ｂの外に繰出されるテープ繰出口１５と、絆創膏を剥離させた剥離シート３３を挿通させるシート挿通口２１と、シート挿通口２１からケース２ｂ内に戻された剥離シート３３を巻き取るシート巻取部６と、を備える。【選択図】図２
2008030861.tif 000002
【特許請求の範囲】
【請求項１】
長尺の剥離シートの一面側に複数の絆創膏が貼着されたテープが巻回された絆創膏ロールが収納されるケースを備えた絆創膏供給具であって、
前記絆創膏ロールが収納されるロール収納部と、前記ロール収納部と連通し前記絆創膏ロールから前記テープが前記ケースの外に繰出されるテープ繰出口と、前記絆創膏を剥離させた前記剥離シートを挿通させるシート挿通口と、前記シート挿通口から前記ケース内に戻された前記剥離シートを巻き取るシート巻取部と、を備えていることを特徴とする絆創膏供給具。
【請求項２】
前記ロール収納部と前記シート巻取部とを隔離する隔壁を備えていることを特徴とする請求項１に記載の絆創膏供給具。
【請求項３】
前記ケースに、前記シート巻取部の少なくとも一部を前記ケースの外面に突出させる開口部が形成されていることを特徴とする請求項１又は２に記載の絆創膏供給具。
【請求項４】
前記シート巻取部が、前記ロール収納部より前記テープ繰出口側に配置されていることを特徴とする請求項３に記載の絆創膏供給具。
【請求項５】
前記ケースの前記ロール収納部から前記テープ繰出口までの間に前記テープの張設手段が配置されていることを特徴とする請求項１乃至４の内いずれか１に記載の絆創膏供給具。
【請求項６】
前記シート巻取部が、前記ケースに配設された若しくは形成された爪部と掛合する掛合部、又は、軸部に装着されたワンウェイクラッチを備えていることを特徴とする請求項５に記載の絆創膏供給具。
【発明の詳細な説明】
【技術分野】
【０００１】
本発明は、止血用注射絆や創傷用絆創膏等の絆創膏を繰り出すことのできる絆創膏供給具に関するものである。
【背景技術】
【０００２】
従来より、静脈注射や点滴等をした後等では、注射針の傷跡から出血して細菌に感染したり衣服が血液で汚れたりするため、出血した血液を吸収するとともに傷跡が塞がるまで圧迫して止血しなければならない。そのため、ガーゼや脱脂綿を押し当てて圧迫したり、剥離紙に貼着された注射絆を剥がして傷跡に貼り付けたりしていた。また、切り傷や擦り傷等の創傷箇所に絆創膏を貼って保護しようとするときには、個装された袋を破って絆創膏を取り出し、剥離紙から絆創膏を剥がして創傷箇所に貼り付けていた。
しかしながら、これらの方法では、看護士等がガーゼや脱脂綿、注射絆を直接、手で傷跡に押し当てたり貼着したりしなければならず、血液が看護士等の手に付着するおそれがあるという問題があった。また、脱脂綿等を容器から出したり、注射絆を剥離紙から剥がしたりしなければならず煩雑であるとともに、そのときに容器内の未使用の脱脂綿等や剥離紙に貼着された未使用の注射絆に手指が触れてしまうことがあり、清潔性に欠けるという問題があった。また、絆創膏を使用するたびに、絆創膏が個装された袋や剥離紙がゴミに変わるためゴミを減容できないという問題があった。
そこで、注射絆を注射跡等に手を触れずに貼ることができるものとして、また袋に個装されていない注射絆を供給するものとして、（特許文献１）に「注射絆が接着されたテープの収納部と、前記テープの繰出口と、前記繰出口から引き出したテープを注射絆の接着面からテープの剥離面が剥離する方向へ折り曲げた状態で挿通させる係止部と、前記繰出口に連設され前記繰出口でテープから剥離した注射絆をベースの反接着面側と面合して載置させる受取部と、を備えた注射絆装着具」が開示されている。
【特許文献１】特開平４−２５６７４８号公報
【発明の開示】
【発明が解決しようとする課題】
【０００３】
しかしながら上記従来の技術においては、以下のような課題を有していた。
（１）（特許文献１）に開示の技術は、係止部に係止されたテープを繰出口から略直角に折り曲げながら引き出すと、注射絆が剥離面から剥離しながら受取部に沿って繰り出されるが、注射絆を剥離した残りのテープは、注射絆を繰り出すにつれてケースの繰出口から長く伸びていくため、ケースの外に引き出したテープの後始末が面倒であるという課題を有していた。また、ケースの外に引き出されたテープに静電気等で埃や汚れ等が付着することがあり、これが患者の傷跡や血液に触れると感染を引き起こすことがあり衛生性に欠けるという課題を有していた。
（２）片手でケースを持って、注射絆の繰出量を確認しながら、もう片方の手で注意深くテープを引き出さなければならないため、テープの繰出し作業に時間を要し、また作業が煩雑で使用性に欠けるという課題を有していた。
（３）注射絆が接着されたテープがケースの収納部に収納されているだけなので、揺すったり持ち運んだりすると、ケース内でテープが揺動してテープが繰出口から勝手に出てくることがあり衛生性に欠けるという課題を有していた。
【０００４】
本発明は上記従来の課題を解決するもので、絆創膏が貼着された剥離シートに手を触れずにケース内で巻き取ることができるため、使用後の剥離シートの後始末が不要で作業性に優れ、また使用後の剥離シートは直ちに巻き取られケース内に収容されるので、埃や血液等が付着し難く衛生性に優れ、さらにシート巻取部を操作して剥離シートを巻き取りながら絆創膏の繰出量を確認することができるので、片手でも絆創膏の繰り出し作業を行うことができ作業性及び使用性に優れた絆創膏供給具を提供することを目的とする。
【課題を解決するための手段】
【０００５】
上記従来の課題を解決するために本発明の絆創膏供給具は、以下の構成を有している。
本発明の請求項１に記載の絆創膏供給具は、長尺の剥離シートの一面側に複数の絆創膏が貼着されたテープが巻回された絆創膏ロールが収納されるケースを備えた絆創膏供給具であって、前記絆創膏ロールが収納されるロール収納部と、前記ロール収納部と連通し前記絆創膏ロールから前記テープが前記ケースの外に繰出されるテープ繰出口と、前記絆創膏を剥離させた前記剥離シートを挿通させるシート挿通口と、前記シート挿通口から前記ケース内に戻された前記剥離シートを巻き取るシート巻取部と、を備えた構成を有している。
この構成により、以下のような作用が得られる。
（１）ロール収納部と連通し絆創膏ロールからテープがケースの外に繰出されるテープ繰出口と、絆創膏を剥離させた剥離シートを挿通させるシート挿通口と、ケース内に戻された剥離シートを巻き取るシート巻取部と、を備えているので、シート巻取部で剥離シートを巻き取る毎にテープ繰出口からテープを繰り出して絆創膏を供給することができ、さらに絆創膏を剥離した剥離シートはケース内で巻き取ることができるため、剥離シートの後始末が簡単にできる。
（２）絆創膏を剥離した後の剥離シートはシート巻取部で巻き取られケース内に収容されるので、埃や血液等が付着し難く衛生性に優れる。
（３）シート巻取部を操作することによって、剥離シートを巻き取りながら絆創膏の繰出量を確認することができるので、片手でも絆創膏の繰り出し作業を行うことができ使用性に優れる。
【０００６】
ここで、絆創膏ロールは、長尺の剥離シートの一面側に複数の絆創膏が貼着されたテープが巻回されたものである。テープは円形状等の心材を中心に巻回されていてもよいし、心材を有さずテープだけを巻回したものでもよい。
剥離シートとしては、ポリプロピレン製，ポリエチレンテレフタレート等の合成樹脂製、紙製等で長尺のフィルム状に形成されたものが用いられる。
絆創膏としては、ポリプロピレン製，ポリエチレンテレフタレート等の合成樹脂製，紙製等のフィルムで略円形，略矩形状等に形成された絆創膏フィルムと、絆創膏フィルムの片面に形成された接着剤層と、接着剤層に貼着された不織布，綿等の体液吸収部材と、を備えたものが用いられる。不織布としては、レーヨンポリエステル不織布，ウレタン不織布，高密度ウレタン不織布，セルロース系不織布，セルロース系積層不織布，コットン不織布等を用いることができる。
【０００７】
ケースとしては、ポリプロピレン等のポリオレフィン等の合成樹脂製，板紙製，金属製，木製等で箱状等に形成されたものが用いられる。ケース本体と蓋部とからなり、蓋部を着脱自在に形成し絆創膏ロールを交換可能にしたものや、絆創膏ロールをケース本体に収容した後、ケース本体に蓋部が溶着，接着，嵌着等され絆創膏ロールを使い切った後は廃棄するようにしたものが用いられる。なかでも、ケース本体に蓋部が溶着，接着，嵌着等されたものが好ましい。絆創膏ロールを使い切った後は廃棄するため衛生的だからである。
ロール収納部としては、テープが心材に巻回された絆創膏ロールを用いる場合は、絆創膏ロールの心材に挿通させる筒状や棒状等の芯部が立設される。また、テープだけを巻回した絆創膏ロールを用いる場合は、絆創膏ロールをケース内の所定箇所に保持しておくことができるように隔壁等で区画される。
【０００８】
テープ繰出口としては、ケースの所定部にスリット状，線状に形成された開口が用いられる。テープ繰出口には、繰り出されるテープと接触するように抗菌シート等を配設することができる。雑菌がテープ繰出口からケース内に侵入するのを防止するためである。
また、着脱自在に形成されたキャップをテープ繰出口に被着させることができる。未使用時にゴミ等がテープ繰出口からケース内に侵入するのを防止するためである。
シート挿通口としては、テープ繰出口と隣接して若しくは適当な間隔をあけて形成された開口が用いられる。いずれの場合もシート挿通口は、テープ繰出口から繰り出されるテープの剥離シート側に形成される。剥離シートに貼着された絆創膏を表側にして、絆創膏を剥離シートから剥離し易くするためである。
【０００９】
テープ繰出口の近傍からケースに突設させた押止片を設けることもできる。押止片は、テープ繰出口から繰り出された絆創膏を皮膚に貼着するために絆創膏の表面を押止することができるものである。押止片としては、押止片の横幅が絆創膏の外径とほぼ同じかやや小さめに形成されており、長さが絆創膏の外径より短めに形成されており、先端が絆創膏の外形とほぼ同じ形状に形成されたものが好適に用いられる。押止片が皮膚に接触することなく、押止片で絆創膏を押止して貼着できるからである。
【００１０】
シート巻取部としては、剥離シートの端部側が固定される軸部を有するものが用いられる。軸部は筒状や棒状等で回転可能に形成され、軸部を回転させることで剥離シートが巻き取られる。軸部は、操作レバー等を使って回転させるものを用いることができる。また、手指を使って回転させるものも用いることができる。なお、シート巻取部は、ロール収納部とどのような位置関係であっても構わない。
【００１１】
本発明の請求項２に記載の発明は、請求項１に記載の絆創膏供給具であって、前記ロール収納部と前記シート巻取部とを隔離する隔壁を備えた構成を有している。
この構成により、請求項１で得られる作用に加え、以下のような作用が得られる。
（１）ロール収納部とシート巻取部とを隔離する隔壁を備えているので、これから使用される絆創膏が貼着された新しいテープと、患者に絆創膏を貼着して絆創膏が剥離された剥離シートとがケース内で接触することがなく衛生性に優れる。
【００１２】
ここで、隔壁としては、ケースと一体に形成されたものを用いることができる。成形性に優れるからである。また、全部又は一部をケースとは別に形成して、ケースに固着させることもできる。
隔壁によって区画された空間の内、ロール収納部を有する空間及び通路（テープ搬送路）はテープ繰出口と連通し、シート巻取部を有する空間及び通路（シート搬送路）はシート挿通口と連通する。これにより、テープ繰出口からテープを繰り出すことができるとともに、シート挿通口からケース内に戻された剥離シートをシート巻取部で巻き取ることができる。また、テープ搬送路とシート搬送路も隔離されるため、テープと剥離シートが接触することがなく衛生性に優れる。
テープ搬送路やシート搬送路は、隔壁とケースの周壁との隙間に形成することができる。これにより、ケースの構造を単純化できるため生産性に優れた絆創膏供給具が得られるとともに、ケース内のスペースを有効活用できるので小型化できる。
【００１３】
本発明の請求項３に記載の発明は、請求項１又は２に記載の絆創膏供給具であって、前記ケースに、前記シート巻取部の少なくとも一部を前記ケースの外面に突出させる開口部が形成された構成を有している。
この構成により、請求項１又は２で得られる作用に加え、以下のような作用が得られる。
（１）ケースに、シート巻取部の少なくとも一部をケースの外面に突出させる開口部が形成されているので、開口部から突出したシート巻取部の一部を手指で操作して、シート巻取部を回転させて剥離シートをシート巻取部に巻き取ることができ操作性に優れる。
【００１４】
ここで、開口部から露出したシート巻取部の一部としては、シート巻取部の軸部が固着された若しくは軸部と一体成形された円盤，多角形盤等の盤状体の一部、シート巻取部を回転させるレバー等が用いられる。
【００１５】
本発明の請求項４に記載の発明は、請求項３に記載の絆創膏供給具であって、前記シート巻取部が、前記ロール収納部より前記テープ繰出口側に配置された構成を有している。
この構成により、請求項３で得られる作用に加え、以下のような作用が得られる。
（１）シート巻取部が、ロール収納部よりテープ繰出口側に配置されているので、片手の掌、親指、薬指等を用いてケースを保持し、人差指や中指の先で開口部から突出したシート巻取部の一部を操作してシート巻取部を回転させてテープを繰り出し、剥離シートを巻き取ることができるため、片手だけで操作でき使用性に優れる。
【００１６】
本発明の請求項５に記載の発明は、請求項１乃至４の内いずれか１に記載の絆創膏供給具であって、前記ケースの前記ロール収納部から前記テープ繰出口までの間に前記テープの張設手段が配置された構成を有している。
この構成により、請求項１乃至４の内いずれか１で得られる作用に加え、以下のような作用が得られる。
（１）ケースのロール収納部からテープ繰出口までの間にテープの張設手段が配置されているので、テープをテープ繰出口から必要な長さだけ弛みなく繰り出すことができ、絆創膏を必要なだけ供給できるため使用性に優れる。
（２）揺すったり持ち運んだりしただけではテープはテープ繰出口から勝手に出てくることがなく、シート巻取部を操作することによって、テープがテープ繰出口から必要な長さだけ弛みなく繰り出されるので、衛生性に優れる。
【００１７】
本発明の請求項６に記載の発明は、請求項５に記載の絆創膏供給具であって、前記シート巻取部が、前記ケースに配設された若しくは形成された爪部と掛合する掛合部、又は、軸部に装着されたワンウェイクラッチを備えた構成を有している。
この構成により、請求項５で得られる作用に加え、以下のような作用が得られる。
（１）シート巻取部が掛合部、又は、ワンウェイクラッチを備えているので、シート巻取部を逆回転させることなく一方向だけに回転させて剥離シートを巻き取って、テープの張設手段とシート巻取部との間で剥離シートを張設してテープを確実に繰り出すことができ使用性に優れる。
【発明の効果】
【００１８】
以上のように、本発明の絆創膏供給具によれば、以下のような有利な効果が得られる。
請求項１に記載の発明によれば、
（１）シート巻取部で剥離シートを巻き取る毎にテープ繰出口からテープを繰り出して、テープ繰出口から繰り出されたテープによって絆創膏を供給することができ、さらに絆創膏を剥離した剥離シートには手を触れずにケース内で巻き取ることができるため、使用後の剥離シートの後始末が簡単にできる作業性に優れた絆創膏供給具を提供できる。
（２）絆創膏を剥離した後の剥離シートはシート巻取部で巻き取られケース内に収容されるので、埃や血液等が付着し難く衛生性に優れた絆創膏供給具を提供できる。
（３）シート巻取部を操作することによって、剥離シートを巻き取りながら絆創膏の繰出量を確認することができるので、片手でも絆創膏の繰り出し作業を行うことができ作業性に優れた絆創膏供給具を提供できる。
【００１９】
請求項２に記載の発明によれば、請求項１の効果に加え、
（１）絆創膏が貼着された新しいテープと、患者に絆創膏を貼着して絆創膏が剥離された剥離シートとがケース内で接触することがなく衛生性に優れた絆創膏供給具を提供できる。
【００２０】
請求項３に記載の発明によれば、請求項１又は２の効果に加え、
（１）開口部から突出したシート巻取部の一部を手指で操作して、シート巻取部を回転させて剥離シートをシート巻取部に巻き取ることができ操作性に優れた絆創膏供給具を提供できる。
【００２１】
請求項４に記載の発明によれば、請求項３の効果に加え、
（１）片手の掌、親指、薬指等を用いてケースを保持し、人差指や中指の先で開口部から突出したシート巻取部の一部を操作してシート巻取部を回転させてテープを繰り出し、剥離シートを巻き取ることができるため、片手だけで操作でき使用性に優れた絆創膏供給具を提供できる。
【００２２】
請求項５に記載の発明によれば、請求項１乃至４の内いずれか１の効果に加え、
（１）テープをテープ繰出口から必要な長さだけ弛みなく繰り出すことができ、絆創膏を必要なだけ供給できるため使用性に優れた絆創膏供給具を提供できる。
（２）揺すったり持ち運んだりしただけではテープはテープ繰出口から勝手に出てくることがなく、シート巻取部を操作することによって、テープがテープ繰出口から必要な長さだけ弛みなく繰り出されるので衛生性に優れた絆創膏供給具を提供できる。
【００２３】
請求項６に記載の発明によれば、請求項５の効果に加え、
（１）シート巻取部を逆回転させることなく一方向だけに回転させて剥離シートを巻き取って、テープの張設手段とシート巻取部との間で剥離シートを張設してテープを確実に繰り出すことができ使用性に優れた絆創膏供給具を提供できる。
【発明を実施するための最良の形態】
【００２４】
以下、本発明を実施するための最良の形態を、図面を参照しながら説明する。
（実施の形態１）
図１は本発明の実施の形態１における絆創膏供給具の分解斜視図であり、図２は実施の形態１における絆創膏供給具の要部断面図であり、図３（ａ）は剥離シートに絆創膏としての注射絆が貼着されたテープの平面図であり、（ｂ）はテープの要部断面図であり、図４は絆創膏供給具の使用状態を説明する要部断面図であり、図５は絆創膏供給具の押止片の平面図である。
図中、１は実施の形態１における絆創膏供給具、２は絆創膏供給具１のケースの一部でありポリエチレン製等の合成樹脂製等で透明若しくは半透明に形成されたケース本体、２ａは絆創膏供給具１のケースの一部でありポリエチレン製等の合成樹脂製等で形成されケース本体２に被着される蓋部、３は略楕円形の平板状に形成されたケース本体２の側面板、４は側面板３の略半分を略円形の窪み状に形成した窪み部、５は窪み部４の略中心に立設させた円筒状の支持軸である。
６は窪み部４に配設されるシート巻取部、６ａは外径が窪み部４の内径よりやや小さめで窪み部４の深さより薄く形成された円盤状の盤状体、７は盤状体６ａの略中心に形成され支持軸５が嵌挿される嵌挿孔、８は盤状体６ａに形成された嵌挿孔７の外側に立設させた円筒状の軸部、９は軸部８の一部に形成されたスリット状の切れ目部、１０は軸部８の内側で切れ目部９の近傍に適当な間隔をあけて複数本立設させた棒状体からなる係止部、１１は盤状体６ａの外周面に形成されたローレットや歯形等の掛合部、１１ａは側面板３の窪み部４の外側に形成され先端が窪み部４内に配設された盤状体６ａの掛合部１１と掛合する爪部である。爪部１１ａと掛合部１１とが掛合することによって、盤状体６ａは逆回転せずに一方向に回転させることができる。
１２は側面板３の窪み部４以外の部分の略中央に立設された円筒状の芯部、１２ａは芯部１２の外周に突設された複数の凸起からなる張設手段であり、後述する絆創膏ロール３０の心材３１の内側に嵌挿され心材３１が芯部１２の周りを空回りするのを防止する。１３は窪み部４が形成された側の側面板３の縁端から窪み部４の外周に沿わせながら芯部１２を大きく囲繞して側面板３の外周のわずか内側に沿わせて立設された隔壁、１４は隔壁１３で囲繞された芯部１２の周囲のロール収納部、１５は隔壁１３の両端を細い隙間をあけて対向させ側面板３の窪み部４側の縁端に形成されたテープ繰出口、１６はテープ繰出口１５とロール収納部１４とが連通したテープ搬送路、１７は窪み部４側の隔壁１３に延設された透明若しくは半透明の押止片である。本実施の形態においては、押止片１７は、先端が円弧状に形成され、横幅が後述する注射絆３４の外径とほぼ同じかやや小さめに形成されており、長さが注射絆３４の外径より短めに形成されている。
１８は略楕円形の平板状に形成された蓋部２ａの側面板、１９は蓋部２ａをケース本体２に被着した際に軸部５の先端が嵌挿される円環状の窪みが裏面に形成された嵌挿部、２０は蓋部２ａの側面板１８の外周に立設され縁部がケース本体２の側面板３に嵌着，溶着，接着等によって固着され隔壁１３との間で後述するシート搬送路２２を形成する周壁、２０ａは周壁２０の一部に窓状に形成され押止片１７，テープ繰出口１５及び隔壁１３の端部が露出されたテープ送出部、２０ｂは周壁２０の縁部と窪み部４との間に形成された開口部である。
【００２５】
図２において、２ｂはケース本体２に蓋部２ａが被着されて形成された絆創膏供給具１のケース、２１は蓋部２ａの周壁２０に形成されたテープ送出部２０ａをケース本体２の押止片１７とテープ繰出口１５の位置に合わせて蓋部２ａをケース本体２に被着することによってテープ繰出口１５と隔壁１３で隔てられて隣接して形成されたシート挿通口、２２は周壁２０の内側に沿って隔壁１３との間に隙間状に形成されシート挿通口２１とシート巻取部６とが連通したシート搬送路である。
図２，図３において、３０はロール収納部１４に収容された絆創膏ロール、３１は後述するテープ３２が巻回された絆創膏ロール３０の円筒状の心材、３２は心材３１に巻回された絆創膏ロール３０のテープ、３３はポリプロピレン製，ポリエチレンテレフタレート等の合成樹脂製等で長尺のフィルム状に形成された剥離シート、３４は剥離シート３３の一面側（本実施の形態においては絆創膏ロール３０の内面側）に適当な間隔をあけて貼着された円形状の複数の絆創膏としての注射絆、３５はポリプロピレン製，ポリエチレンテレフタレート等の合成樹脂製等のフィルムで略円形等に形成された注射絆３４の絆創膏フィルムである。絆創膏フィルム３５は剥離シート３３を大きく屈曲させて変形させると、この変形に追随することができずに剥離シート３３から剥がれるような厚さで形成されている。３６は絆創膏フィルム３５より一回り小さな円形状に形成され絆創膏フィルム３５に形成された接着剤層に貼着された不織布，綿等の体液吸収部材である。
図４において、３７は患者等の皮膚であり、図５において、３８は押止片１７の上面に形成され注射絆３４の中心の合わせ位置を表す略円形状の位置合わせマークである。
【００２６】
以上のように構成された本発明の実施の形態１における絆創膏供給具について、以下その使用方法を説明する。
まず、ケース本体２の支持軸５をシート巻取部６の盤状体６ａに形成された挿通孔７に挿通してシート巻取部６をケース本体２に装着する。次いで、蓋部２ａを被着しない状態で、ケース本体２のロール収納部１４に立設され張設手段１２ａを備えた芯部１２を、内面側に注射絆３４が貼着されたテープ３２が巻回された絆創膏ロール３０の心材３１に嵌挿してロール収納部１４に絆創膏ロール３０を収容する。次に、絆創膏ロール３０から引き出したテープ３２をテープ搬送路１６に通してテープ繰出口１５から引き出し、次いで、引き出したテープ３２を略反転させながら屈曲させて隔壁１３に沿わせてシート巻取部６まで至らしめる。次に、テープ３２の剥離シート３３の先端を軸部８に形成された切れ目部９から軸部８の内側に挿入し係止部１０に挟み込んで係止する。次いで、蓋部２ａのテープ送出部２０ａをケース本体２の押止片１７とテープ繰出口１５の位置に合わせて蓋部２ａをケース本体２に被着する。ケース本体２に蓋部２ａを被着することによって、シート挿通口２１、シート搬送路２２が形成され、絆創膏ロール３０が収容された絆創膏供給具１が得られる。
注射絆３４を傷跡等に貼着する場合は、開口部４ａから突出したシート巻取部６の盤状体６ａの外周に手指をおき、図２の矢印の方向に盤状体６ａを回転させて、剥離シート３３をシート巻取部６の軸部８に巻き取り、心材３１を芯部１２に形成された張設手段１２ａと擦れ合わせながら回転させることによって、張設されたテープ３２をテープ繰出口１５から繰り出すことによって行う。テープ繰出口１５から繰り出されたテープ３２の剥離シート３３は、図４に示すように、隔壁１３で隔てられて隣接するシート挿通口２１に挿通されており、略反転されて剥離シート３３が大きく屈曲されているので、この変形に追随できない注射絆３４は端から剥がれて押止片１７に沿って繰り出される。シート巻取部６の回転量を調整して押止片１７に形成された位置合わせマーク３８の位置まで注射絆３４を繰り出した後、患者の皮膚３７に押止片１７を近接させ、押止片１７で注射絆３４を患者の皮膚３７に軽く押し付けることで、注射絆３４を患者の皮膚３７に貼着することができる。
【００２７】
以上のように、本発明の実施の形態１における絆創膏供給具は構成されているので、以下のような作用が得られる。
（１）ロール収納部１４とテープ搬送路１６を介して連通し絆創膏ロール３０からテープ３２が繰出されるテープ繰出口１５と、テープ３２を屈曲させて注射絆３４が剥離した剥離シート３３を挿通させるシート挿通口２１と、ケース２ｂ内に戻された剥離シート３３を巻き取るシート巻取部６と、を備えているので、シート巻取部６で剥離シート３３を巻き取る毎にテープ繰出口１５からテープ３２を繰り出して、テープ繰出口１５から繰り出されたテープ３２を屈曲させることで注射絆３４を剥離させることができ、さらに注射絆３４を剥離した剥離シート３３はケース２ｂ内で巻き取られるため、剥離シート３３の後始末が簡単にできる。
（２）注射絆３４を剥離した後の剥離シート３３はシート巻取部６で巻き取られケース２ｂ内に収容されるので、剥離シート３３に埃や血液等が付着し難く衛生性に優れる。
（３）シート巻取部６を操作することによって、剥離シート３３を巻き取りながら注射絆３４の繰出量を確認することができるので、片手でも注射絆３４の繰り出し作業を行うことができ使用性に優れる。
（４）ロール収納部１４とシート巻取部６とを隔離する隔壁１３を備えているので、絆創膏ロール３０と、患者の皮膚３４に近接若しくは接触した剥離シート３３とがケース２ｂ内で接触することがなく衛生性に優れる。
（５）シート巻取部６の盤状体６ａをケース２ｂの外面に突出させる開口部４ａがケース２ｂに形成されているので、開口部２０ｂから突出した盤状体６ａを手指で回転させて、剥離シート３３をシート巻取部６の軸部８に巻き取ることができ操作性に優れる。
（６）シート巻取部６が、ロール収納部１４よりもテープ繰出口１５側に配置されているので、片手の掌、親指、薬指等を用いてケース２ｂを保持し、人差指や中指の先で開口部４ａから突出したシート巻取部６の盤状体６ａを回転させてテープ３２を繰り出し、剥離シート３３を巻き取ることができるため、片手だけで操作でき使用性に優れる。
（７）ロール収納部１４の芯部１２の外周に突設された複数の凸起からなる張設手段１２ａを備えており、絆創膏ロール３０の心材３１の内側に嵌挿され心材３１が芯部１２の周りを空回りするのを防止するので、シート巻取部６で剥離シート３３を巻き取った分だけテープ３２をテープ繰出口１５から必要な長さだけ弛みなく繰り出すことができ、注射絆３４を必要なだけ供給できるため使用性に優れる。
（８）張設手段１２ａを備えているので、揺すったり持ち運んだりしただけではテープ３２がテープ繰出口１５から勝手に出てくることがなく、シート巻取部６を操作することによって、テープ３２がテープ繰出口１５から必要な長さだけ弛みなく繰り出されるので衛生性に優れる。
（９）シート巻取部６の盤状体６ａに形成された掛合部１１が爪部１１ａと掛合して逆回転が防止されるので、シート巻取部６を一方向だけに回転させて剥離シート３３を巻き取って、テープ３２を確実に繰り出すことができ操作性に優れる。
（１０）張設手段１２ａとシート巻取部６との間で剥離シート３３が弛みなく張設されるので、テープ繰出口１５とシート挿通口２１との間で剥離シート３３を大きく屈曲させ、剥離シート３３の変形に追随できない注射絆３４を端から自然に剥がして押止片１７に沿って繰り出すことができる。
（１１）テープ繰出口１５と面一にケース２ｂから延設された押止片１７と、押止片１７に形成された位置合わせマーク３８と、を備えているので、テープ繰出口１５から押止片１７に沿って繰り出された注射絆３４が、位置合わせマーク３８の位置にくるのを見ながらシート巻取部６を操作することができ、注射絆３４のテープ繰出口１５からの繰り出し量を最適にして注射絆３４を患者へ確実に貼着することができ使用性に優れる。
（１２）シート搬送路２２が、ロール収納部１４を区画した隔壁１３と蓋部２ａの周壁２０との間に形成されているので、シート巻取部６、ロール収納部１４、テープ搬送路１６、シート搬送路２２をケース２ｂ内にコンパクトに配置することができケース２ｂを小型化することができる。
（１３）テープ繰出口１５とシート挿通口２１とが隔壁１３で隔てられ隣接しているので、テープ繰出口１５から繰り出したテープ３２を略反転させてテープ繰出口１５から繰り出されたテープ３２を大きく屈曲させることができるため、注射絆３４を剥離シート３３から確実に剥離させることができ使用性に優れる。
（１４）押止片１７の横幅が注射絆３４の外径よりもやや小さめに形成されており、押止片１７の長さが注射絆３４の外径とほぼ同じかやや短めに形成されているので、押止片１７で注射絆３４を患者の皮膚に軽く押し付けて注射絆３４を患者の皮膚３７に貼着する際、押止片１７が皮膚３７に接触しないため衛生性に優れる。
（１５）押止片１７の先端が注射絆３４の外形の一部と略同じ形状の円弧状に形成されているので、患者の皮膚３７に押止片１７が接触しないように注射絆３４の全体を押さえて患者の皮膚３７に貼着することができ使用性に優れる。
（１６）ケース本体２に蓋部２ａを被着することによって、蓋部２ａの周壁２０と隔壁１３との間にシート挿通口２１、シート搬送路２２が形成され絆創膏ロール３０が収容された絆創膏供給具１が得られるので、ケース本体２，蓋部２ａの各々の構成を単純化できるため生産性に優れる。
【００２８】
ここで、本実施の形態においては、押止片１７は先端が円弧状に形成された場合について説明したが、形状は円弧状に限定されるものではなく、矩形状等適宜任意の形状に形成したものを用いることができる。また、押止片１７を隔壁１３に対し略水平に延設した場合について説明したが、注射絆３４を皮膚３７に貼着し易くするため、隔壁１３に対し角度をつけたり、押止片１７を適度に屈曲させたりすることもできる。
また、位置合わせマーク３８が略円形状に形成され、注射絆３４の中心の合わせ位置を表示したものについて説明したが、略円形状だけでなく十字状等に形成したものを用いる場合もある。また、注射絆３４の外径より広い押止片１７を用いた場合には、繰り出した注射絆の先端や後端の位置を表示するように、曲線状，直線状，点状等に形成されたものを用いる場合もある。
また、張設手段１２ａとして、芯部１２の外周に凸起が突設された場合について説明したが、シート巻取部６の回転に伴って心材３１が空回りせずに回転できるように形成されていればよく、例えば、芯部１２の外形を長円状，多角形状等に形成したり、芯部１２の外周にバネ状の係止片を形成したりする場合もある。
【００２９】
（実施の形態２）
図６は実施の形態２における絆創膏供給具の要部断面図であり、図７はシート巻取部の分解斜視図である。
図中、４１は実施の形態２における絆創膏供給具、４２はポリエチレン製等の合成樹脂製等で形成された絆創膏供給具４１のケース、４２ａは略瓢箪状に形成されたケース４２の側面板、４２ｂはケース４２の周壁、４３は周壁４２ｂの外周方向に沿って周壁４２ｂの一部に形成されたスリット状の開口部、４４は開口部４３側のケース４２内に配設されたシート巻取部、４５は開口部４３側の側面板４２ａに立設させた円筒状の支持軸、４５ａは支持軸４５の外側に回動自在に配設された軸部、４５ｂは軸部４５ａの外周に嵌合させたワンウェイクラッチである。本実施の形態においては、ワンウェイクラッチ４５ｂは、矢印方向へは回転を伝達するが、矢印方向と逆方向へは回転を伝達しないように形成されている。４６はワンウェイクラッチ４５ｂの外側に嵌合させた円環状の嵌合部、４７は嵌合部４６の外周に延設された円盤状の盤状体、４８は盤状体４７の外周面に形成されたローレットや歯形等の掛合部、４９は基部が軸部４５ａに固着された板状のレバー部、４９ａはレバー部４９の先端に形成され開口部４３から突出した摘み部である。本実施の形態においては、レバー部４９の先端の摘み部４９ａを矢印方向に移動させることによって、レバー部４９の基部に固着された軸部４５ａが回動し、ワンウェイクラッチ４５ｂと一体になって嵌合部４６に力が伝達されて盤状体４７が矢印方向に回転する。一方、摘み部４９ａを矢印方向と反対に移動させたときは、レバー部４９の基部に固着された軸部４５ａは回動するが、ワンウェイクラッチ４５ｂは空転するので、嵌合部４６には力が伝達されず盤状体４７は回転しない。
５０は側面板４２ａに形成され先端が盤状体４７の掛合部４８と掛合し、盤状体４７を矢印方向と反対方向に回転するのを防止する爪部、５１は一端がシート巻取部４４の近傍の周壁４２ｂに当着されシート巻取部４４の外側を通って周壁４２ｂのわずか内側に沿わせて側面板４２ａに立設された隔壁、５２は隔壁５１内に形成されシート巻取部４４と区画されたロール収納部、５２ａはロール収納部５２とテープ繰出口５４との間の側面板４２ａに細い隙間を隔てて立設された２本の棒材からなり後述するテープ６１が隙間に挿通された張設手段、５３はシート巻取部４４側の周壁４２ｂから延設した板状の押止片、５４は押止片５３と隔壁５１との間に隙間状に形成されたテープ繰出口、５５はテープ繰出口５４とロール収納部５２とが連通したテープ搬送路、５６は隔壁５１でテープ繰出口５４と隔てられて隣接して形成されたシート挿通口、５７は周壁４２ｂの内側に沿って隔壁５１との間に隙間状に形成されシート挿通口５６とシート巻取部４４とが連通したシート搬送路である。
６０はロール収納部５２に収容された絆創膏ロール、６１は図示しない注射絆が外面側に貼着された絆創膏ロール６０のテープ、６２はポリプロピレン製，ポリエチレンテレフタレート等の合成樹脂製等で長尺のフィルム状に形成された剥離シートである。
【００３０】
以上のように構成された本発明の実施の形態２における絆創膏供給具は、シート巻取部４４の軸部４５ａにワンウェイクラッチ４５ｂが装着されている点、絆創膏ロール６０のテープ６１が心材に巻回されていない絆創膏ロール６０を用い、ロール収納部５２とテープ繰出口５４との間の側面板４２ａに細い隙間を隔てて２本の棒材からなる張設手段５２ａが立設されている点で、実施の形態１における絆創膏供給具と構成が異なる。
このため、本実施の形態においては、実施の形態１に記載した作用に加え、以下のような作用が得られる。
（１）摘み部４９ａを移動させることでシート巻取部４４を回転させてシート６２を巻き取ることができ操作性に優れる。
（２）ロール収納部５２とテープ繰出口５４との間の側面板４２ａに張設手段５２ａが配置されているので、心材に巻回されていない絆創膏ロール６０のテープ６１でも、テープ６１をテープ繰出口５４から必要な長さだけ弛みなく繰り出すことができ、注射絆を必要なだけ供給できるため使用性に優れる。
【００３１】
（実施の形態３）
図８は実施の形態３における絆創膏供給具の要部断面図であり、図９（ａ）は剥離シートに絆創膏が貼着されたテープの平面図であり、（ｂ）はテープの要部断面図である。
図８において、７１は実施の形態３における絆創膏供給具、７２はポリエチレン製等の合成樹脂製等で形成された絆創膏供給具７１のケース、７２ａは略長円状に形成されたケース７２の側面板、７２ｂはケース７２の周壁、７３は周壁７２ｂの一部に形成されたスリット状の開口部、７４は開口部７３寄りの側面板７２ａに立設された円筒状の支持軸、７５は開口部７３側のケース７２内に配設されたシート巻取部、７６は中心に形成された挿通孔に支持軸７４が嵌挿されたシート巻取部７５としての円盤状の盤状体、７７は盤状体７６に形成された嵌挿孔の外側に立設させた円筒状の軸部、７８は盤状体７６の外周面に形成されたローレットや歯形等の掛合部、７９は側面板７２ａに形成され先端が盤状体７６の掛合部７８と掛合し逆回転するのを防止する爪部、８０は側面板７２ａに立設された円筒状の芯部、８０ａは芯部８０の外周に突設された複数の凸起からなる張設手段であり、後述する絆創膏ロール３０の心材３１の内側に嵌挿され心材３１が芯部８０の周りを空回りするのを防止する。８１はシート巻取部７５と芯部８０を区画して側面板７２ａに略Ｓ字状に立設された隔壁、８２は隔壁８１でシート巻取部７５と区画された芯部８０の周囲のロール収納部、８３は隔壁８１と周壁７２ｂとを細い隙間をあけて対向させシート巻取部７５側に形成されたテープ繰出口、８４はテープ繰出口８３とロール収納部８２とが連通したテープ搬送路、８５はテープ繰出口８３と開口部７３との間の周壁７２ｂに形成されたシート挿通孔である。なお、周壁７２ｂの高さは、後述する絆創膏９４の大きさより大きければ良く、適宜設定することができる。
図８，図９において、９０はロール収納部８２に収容された絆創膏ロール、９１は後述するテープ９２が巻回された絆創膏ロール９０の円筒状の心材、９２は心材９１に巻回された絆創膏ロール９０のテープ、９３はポリプロピレン製，ポリエチレンテレフタレート等の合成樹脂製等で長尺のフィルム状に形成され端部がシート巻取部７５の軸部７７に貼着等で固着された剥離シート、９４は剥離シート９３の一面側（本実施の形態においては絆創膏ロール９０の外面側）に適当な間隔をあけて貼着された矩形状の複数の絆創膏、９５はポリプロピレン製，ポリエチレンテレフタレート等の合成樹脂製，紙製等のフィルムで矩形状等に形成された絆創膏９４の絆創膏フィルム、９６は絆創膏フィルム９５より一回り小さな矩形状に形成され絆創膏フィルム９５に形成された接着剤層に貼着された不織布，綿等の体液吸収部材、９７は合成樹脂製，紙製等のフィルムを二つ折りにして絆創膏フィルム９５の一端に貼着させ剥離シート９３との間に介挿させた剥離フィルムである。
【００３２】
以上のように構成された本発明の実施の形態３における絆創膏供給具について、図面を参照しながら、以下その使用方法を説明する。図１０は絆創膏供給具の使用状態を説明する要部断面図である。
まず、図８に示すように、絆創膏供給具７１におけるケース７２のロール収納部８２の芯部８０に絆創膏ロール９０を嵌挿し、引き出したテープ９２をテープ搬送路８４に通してテープ繰出口８３から引き出し、次いで周壁７２ｂに沿わせてシート挿通孔８５を通した後、シート巻取部７５まで至らしめる。テープ９２の剥離シート９３の先端は軸部７７の外周に貼着等によって固着する。
使用するときは、開口部７３から突出したシート巻取部７５の盤状体７６の外周に手指をおき、図８の矢印の方向に盤状体７６を回転させてテープ９２の剥離シート９３をシート巻取部７５の軸部７７に巻き取ると、図１０に示すように、テープ繰出口８３からテープ９２が繰り出されて絆創膏９４が現れる。繰り出された絆創膏９４の剥離フィルム９７だけを摘んで持ち上げると、剥離フィルム９７付きの絆創膏９４を剥離シート９３から剥がすことができ、剥離フィルム９７を摘んだまま絆創膏９４を患者の皮膚に貼着した後に剥離フィルム９７を引き剥がすと、絆創膏９４を患者の皮膚に貼着することができる。
【００３３】
以上のように、本発明の実施の形態３における絆創膏供給具は構成されているので、実施の形態１に記載した作用に加え、以下のような作用が得られる。
（１）剥離フィルム９７が貼着された絆創膏９４も供給することができ応用性に優れる。
（２）構成を簡素化でき生産性に優れる。
【産業上の利用可能性】
【００３４】
本発明は、止血用注射絆や創傷用絆創膏等の絆創膏を繰り出すことのできる絆創膏供給具に関し、絆創膏が貼着された剥離シートに手を触れずにケース内で巻き取ることができるため、使用後の剥離シートの後始末が簡単にでき作業性に優れ、また使用後の剥離シートは直ちに巻き取られケース内に収容されるので、埃や血液等が付着し難く衛生性に優れ、さらにシート巻取部を操作して剥離シートを巻き取りながら絆創膏の繰出量を確認することができるので、片手でも絆創膏の繰り出し作業を行うことができる使用性に優れた絆創膏供給具を提供できる。
【図面の簡単な説明】
【００３５】
【図１】実施の形態１における絆創膏供給具の分解斜視図
【図２】実施の形態１における絆創膏供給具の要部断面図
【図３】（ａ）剥離シートに絆創膏としての注射絆が貼着されたテープの平面図  （ｂ）テープの要部断面図
【図４】絆創膏供給具の使用状態を説明する要部断面図
【図５】絆創膏供給具の押止片の平面図
【図６】実施の形態２における絆創膏供給具の要部断面図
【図７】シート巻取部の分解斜視図
【図８】実施の形態３における絆創膏供給具の要部断面図
【図９】（ａ）剥離シートに絆創膏が貼着されたテープの平面図  （ｂ）テープの要部断面図
【図１０】絆創膏供給具の使用状態を説明する要部断面図
【符号の説明】
【００３６】
１  絆創膏供給具
２  ケース本体
２ａ  蓋部
２ｂ  ケース
３  側面板
４  窪み部
５  支持軸
６  シート巻取部
６ａ  盤状体
７  嵌挿孔
８  軸部
９  切れ目部
１０  係止部
１１  掛合部
１１ａ  爪部
１２  芯部
１２ａ  張設手段
１３  隔壁
１４  ロール収納部
１５  テープ繰出口
１６  テープ搬送路
１７  押止片
１８  側面板
１９  嵌挿部
２０  周壁
２０ａ  テープ送出部
２０ｂ  開口部
２１  シート挿通口
２２  シート搬送路
３０  絆創膏ロール
３１  心材
３２  テープ
３３  剥離シート
３４  注射絆
３５  絆創膏フィルム
３６  体液吸収部材
３７  皮膚
３８  位置合わせマーク
４１  絆創膏供給具
４２  ケース
４２ａ  側面板
４２ｂ  周壁
４３  開口部
４４  シート巻取部
４５  支持軸
４５ａ  軸部
４５ｂ  ワンウェイクラッチ
４６  嵌合部
４７  盤状体
４８  掛合部
４９  レバー部
４９ａ  摘み部
５０  爪部
５１  隔壁
５２  ロール収納部
５３  押止片
５４  テープ繰出口
５５  テープ搬送路
５６  シート挿通口
５７  シート搬送路
６０  絆創膏ロール
６１  テープ
６２  剥離シート
７１  絆創膏供給具
７２  ケース
７２ａ  側面板
７２ｂ  周壁
７３  開口部
７４  支持軸
７５  シート巻取部
７６  盤状体
７７  軸部
７８  掛合部
７９  爪部
８０  芯部
８０ａ  張設手段
８１  隔壁
８２  ロール収納部
８３  テープ繰出口
８４  テープ搬送路
８５  シート挿通孔
９０  絆創膏ロール
９１  心材
９２  テープ
９３  剥離シート
９４  絆創膏
９５  絆創膏フィルム
９６  体液吸収部材
９７  剥離フィルム
【図１】
2008030861.tif 000003
【図２】
2008030861.tif 000004
【図３】
2008030861.tif 000005
【図４】
2008030861.tif 000006
【図５】
2008030861.tif 000007
【図６】
2008030861.tif 000008
【図７】
2008030861.tif 000009
【図８】
2008030861.tif 000010
【図９】
2008030861.tif 000011
【図１０】
2008030861.tif 000012
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
長尺の剥離シートの一面側に複数の絆創膏が貼着されたテープが巻回された絆創膏ロールが収納される片手で保持できるケースを備えた絆創膏供給具であって、
（ａ）前記絆創膏ロールが収納されるロール収納部と、（ｂ）前記ロール収納部と連通し前記絆創膏ロールから前記テープが前記ケースの外に繰出されるテープ繰出口と、（ｃ）前記絆創膏を剥離させた前記剥離シートを挿通させるシート挿通口と、（ｄ）前記シート挿通口から前記ケース内に戻された前記剥離シートを巻き取るシート巻取部と、（ｅ）前記ロール収納部と前記シート巻取部とを隔離するとともに、前記テープ繰出口と前記ロール収納部とに連通したテープ搬送路と前記シート挿通口とを隔てる隔壁と、を備えていることを特徴とする絆創膏供給具。
【請求項２】
前記テープ搬送路と隔離されて前記ケースの周壁と前記隔壁との間に形成され前記シート挿通口と前記シート巻取部とに連通したシート搬送路を備えていることを特徴とする請求項１に記載の絆創膏供給具。
【請求項３】
前記ケースに、前記シート巻取部の少なくとも一部を前記ケースの外面に突出させる開口部が形成されていることを特徴とする請求項１又は２に記載の絆創膏供給具。
【請求項４】
前記シート巻取部が、前記ロール収納部より前記テープ繰出口側に配置されていることを特徴とする請求項３に記載の絆創膏供給具。
【請求項５】
前記ケースの前記ロール収納部から前記テープ繰出口までの間に前記テープの張設手段が配置されていることを特徴とする請求項１乃至４の内いずれか１に記載の絆創膏供給具。
【請求項６】
前記シート巻取部が、前記ケースに配設された若しくは形成された爪部と掛合する掛合部、又は、軸部に装着されたワンウェイクラッチを備えていることを特徴とする請求項５に記載の絆創膏供給具。
【手続補正２】
【補正対象書類名】明細書
【補正対象項目名】０００５
【補正方法】変更
【補正の内容】
【０００５】
上記従来の課題を解決するために本発明の絆創膏供給具は、以下の構成を有している。
本発明の請求項１に記載の絆創膏供給具は、長尺の剥離シートの一面側に複数の絆創膏が貼着されたテープが巻回された絆創膏ロールが収納される片手で保持できるケースを備えた絆創膏供給具であって、（ａ）前記絆創膏ロールが収納されるロール収納部と、（ｂ）前記ロール収納部と連通し前記絆創膏ロールから前記テープが前記ケースの外に繰出されるテープ繰出口と、（ｃ）前記絆創膏を剥離させた前記剥離シートを挿通させるシート挿通口と、（ｄ）前記シート挿通口から前記ケース内に戻された前記剥離シートを巻き取るシート巻取部と、（ｅ）前記ロール収納部と前記シート巻取部とを隔離するとともに、前記テープ繰出口と前記ロール収納部とに連通したテープ搬送路と前記シート挿通口とを隔てる隔壁と、を備えた構成を有している。
この構成により、以下のような作用が得られる。
（１）ロール収納部と連通し絆創膏ロールからテープがケースの外に繰出されるテープ繰出口と、絆創膏を剥離させた剥離シートを挿通させるシート挿通口と、ケース内に戻された剥離シートを巻き取るシート巻取部と、を備えているので、シート巻取部で剥離シートを巻き取る毎にテープ繰出口からテープを繰り出して絆創膏を供給することができ、さらに絆創膏を剥離した剥離シートはケース内で巻き取ることができるため、剥離シートの後始末が簡単にできる。
（２）絆創膏を剥離した後の剥離シートはシート巻取部で巻き取られケース内に収容されるので、埃や血液等が付着し難く衛生性に優れる。
（３）シート巻取部を操作することによって、剥離シートを巻き取りながら絆創膏の繰出量を確認することができるので、片手でも絆創膏の繰り出し作業を行うことができ使用性に優れる。
（４）ロール収納部とシート巻取部とを隔離する隔壁を備えているので、これから使用される絆創膏が貼着された新しいテープと、患者に絆創膏を貼着して絆創膏が剥離された剥離シートとがケース内で接触することがなく衛生性に優れる。
【手続補正３】
【補正対象書類名】明細書
【補正対象項目名】００１０
【補正方法】変更
【補正の内容】
【００１０】
シート巻取部としては、剥離シートの端部側が固定される軸部を有するものが用いられる。軸部は筒状や棒状等で回転可能に形成され、軸部を回転させることで剥離シートが巻き取られる。軸部は、操作レバー等を使って回転させるものを用いることができる。また、手指を使って回転させるものも用いることができる。なお、シート巻取部は、ロール収納部とどのような位置関係であっても構わない。
隔壁としては、ケースと一体に形成されたものを用いることができる。成形性に優れるからである。また、全部又は一部をケースとは別に形成して、ケースに固着させることもできる。
隔壁によって区画された空間の内、ロール収納部を有する空間及び通路（テープ搬送路）はテープ繰出口と連通し、シート巻取部を有する空間及び通路（シート搬送路）はシート挿通口と連通する。これにより、テープ繰出口からテープを繰り出すことができるとともに、シート挿通口からケース内に戻された剥離シートをシート巻取部で巻き取ることができる。また、テープ搬送路とシート搬送路も隔離されるため、テープと剥離シートが接触することがなく衛生性に優れる。
テープ搬送路やシート搬送路は、隔壁とケースの周壁との隙間に形成することができる。これにより、ケースの構造を単純化できるため生産性に優れた絆創膏供給具が得られるとともに、ケース内のスペースを有効活用できるので小型化できる。
【手続補正４】
【補正対象書類名】明細書
【補正対象項目名】００１１
【補正方法】変更
【補正の内容】
【００１１】
本発明の請求項２に記載の発明は、請求項１に記載の絆創膏供給具であって、前記テープ搬送路と隔離されて前記ケースの周壁と前記隔壁との間に形成され前記シート挿通口と前記シート巻取部とに連通したシート搬送路を備えた構成を有している。
この構成により、請求項１で得られる作用に加え、以下のような作用が得られる。
（１）シート搬送路が、ロール収納部を区画した隔壁とケースの周壁との間に形成されているので、シート巻取部、ロール収納部、テープ搬送路、シート搬送路をケース内にコンパクトに配置することができケースを小型化することができる。
【手続補正５】
【補正対象書類名】明細書
【補正対象項目名】００１２
【補正方法】削除
【補正の内容】
【手続補正６】
【補正対象書類名】明細書
【補正対象項目名】００１８
【補正方法】変更
【補正の内容】
【００１８】
以上のように、本発明の絆創膏供給具によれば、以下のような有利な効果が得られる。
請求項１に記載の発明によれば、
（１）シート巻取部で剥離シートを巻き取る毎にテープ繰出口からテープを繰り出して、テープ繰出口から繰り出されたテープによって絆創膏を供給することができ、さらに絆創膏を剥離した剥離シートには手を触れずにケース内で巻き取ることができるため、使用後の剥離シートの後始末が簡単にできる作業性に優れた絆創膏供給具を提供できる。
（２）絆創膏を剥離した後の剥離シートはシート巻取部で巻き取られケース内に収容されるので、埃や血液等が付着し難く衛生性に優れた絆創膏供給具を提供できる。
（３）シート巻取部を操作することによって、剥離シートを巻き取りながら絆創膏の繰出量を確認することができるので、片手でも絆創膏の繰り出し作業を行うことができ作業性に優れた絆創膏供給具を提供できる。
（４）絆創膏が貼着された新しいテープと、患者に絆創膏を貼着して絆創膏が剥離された剥離シートとがケース内で接触することがなく衛生性に優れた絆創膏供給具を提供できる。
【手続補正７】
【補正対象書類名】明細書
【補正対象項目名】００１９
【補正方法】変更
【補正の内容】
【００１９】
請求項２に記載の発明によれば、請求項１の効果に加え、
（１）シート搬送路が、ロール収納部を区画した隔壁とケースの周壁との間に形成されているので、シート巻取部、ロール収納部、テープ搬送路、シート搬送路をケース内にコンパクトに配置することができケースを小型化することができる絆創膏供給具を提供できる。